(57)【要約】【目的】  本発明の目的は容易に持ち運ぶことができるタープ支柱固定具を提供することにある。【構成】  このタープ支柱固定具は、タープの支柱Ｘを指示する固定具であって、内部に重量物を収納可能な本体部１００と、この本体部１００を支柱Ｘに取り付けるための取付手段２００とを具備しており、本体部１００は４つの袋体１００ａ〜１００ｄを有しており、袋体１００ａ〜１００ｄが支柱Ｘに巻きつけ可能なように帯状に連結された構成となっている。【選択図】      図１
2005320782.tif 000002
【特許請求の範囲】
【請求項１】
タープの支柱を固定するタープ支柱固定具において、内部に重量物を収納可能な本体部と、この本体部を支柱に取り付けるための取付手段とを具備しており、前記本体部は折り畳み可能な構成となっていることを特徴とするタープ支柱固定具。
【請求項２】
請求項１記載のタープ支柱固定具において、前記本体部は重量物を収納可能な複数の袋体を有しており、これらの袋体が支柱に巻きつけ可能なように帯状に連結された構成となっていることを特徴とするタープ支柱固定具。
【請求項３】
請求項２記載のタープ支柱固定具において、前記本体部は略三角柱の４つの袋体を有しており、当該袋体が９０°ピッチ間隔で支柱に巻き付け可能になっていることを特徴とするタープ支柱固定具。
【請求項４】
請求項２記載のタープ支柱固定具において、前記袋体には、重量物を収納した際に外形が変形しないように補助部材が設けられていることを特徴とするタープ支柱固定具。
【発明の詳細な説明】
【技術分野】
【０００１】
本発明は、タープの支柱を固定するタープ支柱固定具に関する。
【背景技術】
【０００２】
この種のタープ支柱固定具としては、支柱が挿入される挿入孔を有する容器に砂等の重量物を入れたものがある( 特許文献１参照) 。
【０００３】
【特許文献１】実用新案登録第３０１３１８７号公報
【発明の開示】
【発明が解決しようとする課題】
【０００４】
しかしながら、前記容器は重量物を取り出すことができないことから非常に重く、可搬性が悪いという本質的な欠点を有している。
【０００５】
本発明は、上記事情に鑑みて創案されたものであって、その目的とするところは、容易に持ち運ぶことができるタープ支柱固定具を提供することにある。
【課題を解決するための手段】
【０００６】
上記課題を解決するために、本発明のタープ支柱固定具は、タープの支柱を固定するタープ支柱固定具であって、内部に重量物を収納可能な本体部と、この本体部を支柱に取り付けるための取付手段とを具備しており、前記本体部は折り畳み可能な構成となっていることを特徴としている。
【０００７】
前記本体部は重量物を収納可能な複数の袋体を有しており、これらの袋体が支柱に巻きつけ可能なように帯状に連結された構成となっていることが好ましい。前記本体部が略三角柱の４つの袋体を有する場合には、当該袋体が９０°ピッチ間隔で支柱に巻き付け可能になっている。
【０００８】
また、前記袋体には、重量物を収納した際に外形が変形しないように補助部材を設けることもできる。
【発明の効果】
【０００９】
本発明の請求項１に係るタープ支柱固定具による場合、本体部から重量物を取り出し、その状態で折り畳むことができる。よって、従来例と比べて容易に持ち運ぶことができる。特に、重量物としてタープの設置場所にある砂や水を用いれば、従来例の如く重量物を持ち運ぶ必要がないので、更に持ち運びが容易になる。
【００１０】
本発明の請求項２に係るタープ支柱固定具による場合、本体部は複数の袋体が帯状に連結された構成となっている。よって、本体部を支柱に巻きつけ、当該本体部を取付手段で支柱に固定するようにすれば、当該固定具を支柱に簡単に取り付けることができる。また、複数の袋体に各々重量物を収納可能であるので、本体部の一部にのみ重量物が片寄り、支柱を安定して固定することができないというようなことを防止することができる。
【００１１】
本発明の請求項３に係るタープ支柱固定具による場合、袋体を支柱に巻きつけると、当該袋体が９０°ピッチ間隔で配置される。よって、支柱を安定して固定することができる。
【００１２】
本発明の請求項４に係るタープ支柱固定具による場合、袋体には重量物を収納した際に外形が変形しないように補助部材が設けられている。よって、重量物の重みにより袋体の外形が変形し、支柱をうまく固定できないというようなことを防止することができる。
【発明を実施するための最良の形態】
【００１３】
以下、本発明の実施の形態に係るタープ支柱固定具を図面を参照しながら説明する。図１はタープ支柱固定具の使用状態を示す概略的斜視図、図２は展開した状態の同固定具の概略的平面図、図３は同固定具の本体部の袋体を示す図であって、( ａ) は蓋を閉じた状態の袋体の概略的斜視図、( ｂ）は蓋を開いた状態の袋体の概略的分解斜視図である。
【００１４】
図１に示すタープ支柱固定具は、図示しないタープの支柱Ｘを指示する固定具であって、内部に重量物を収納可能な本体部１００と、この本体部１００を支柱Ｘに取り付けるための取付手段２００とを具備する。以下、各部を詳しく説明する。なお、支柱Ｘは角柱のパイプである。重量物としては砂を用いる。
【００１５】
本体部１００は、図２及び図３に示すように、４つの袋体１００ａ、１００ｂ、１００ｃ、１００ｄを有している。この袋体１００ａ〜１００ｄは略三角柱状をしており、一面の幅方向の隣り合う端部同士が連結され、帯状になっている。また、袋体１００ａ〜１００ｂは上面が開口しており、この開口から重量物を各々収納可能になっている。この袋体１００ａ〜１００ｄの開口縁部には、前記開口を開閉可能に閉塞する蓋１０１ａ〜１０１ｄが設けられている。この袋体１００ａ〜１００ｄは支柱Ｘに当接する箇所である頂部が平面状になっている。即ち、頂部を内側にして本体部１００を支柱Ｘに巻き付けると、袋体１００ａ〜１００ｄが９０°ピッチ間隔で配置され、その中心部に支柱Ｘが挿入可能な空間αが形成される( 図１参照) 。
【００１６】
蓋１０１ａ〜１０１ｄの先端部には、ベルクロテープ１１１ａ〜１１１ｄが貼付されている。一方、袋体１００ａ〜１００ｄの一面の上部には蓋１０１ａ〜１０１ｄのベルクロテープ１１１ａ〜１１１ｄと接合可能なベルクロテープ１１２ａ〜１１２ｄが貼付されている。このようにベルクロテープ１１１ａ〜１１１ｄとベルクロテープ１１２ａ〜１１２ｄとが接合することにより蓋１０１ａ〜１０１ｄが袋体１００ａ〜１００ｄの開口を閉塞した状態を維持できる。
【００１７】
補強部材１２０ａ〜１２０ｄは袋体１００ａ〜１００ｄに各々収納される強化樹脂プレートである。この補強部材１２０ａ〜１２０ｄは、頂部が切り欠かれた略三角形のベース部１２１ａ〜１２１ｄと、ベース部１２１ａ〜１２１ｄの頂部と連なる長方形の板体であり且つベース部１２１ａ〜１２１ｄの頂部から垂直に折り曲げられた補強片１２２ａ〜１２２ｄとを有する。ベース部１２１ａ〜１２１ｄは袋体１００ａ〜１００ｄの底部に嵌まり込む。このとき、補強片１２２ａ〜１２２ｄが袋体１００ａ〜１００ｄの頂部に当接する。この補強部材１２０ａ〜１２０ｄにより重量物を収納した際に袋体１００ａ〜１００ｄの外形が変形するのを防止することができる。
【００１８】
取付手段２００は袋体１００ａ〜１００ｄの一面の上端部及び下端部に各々設けられた一対のベルトである。この取付手段２００の一端部には、取付手段２００の他端部を係合するための係合部２１０が設けられている。
【００１９】
このように構成されたタープ支柱固定具を支柱Ｘに取り付ける場合には、袋体１００ａ〜１００ｄの蓋１０１ａ〜１０１ｄを開き、補強部材１２０ａ〜１２０ｄを袋体１００ａ〜１００ｄに収納する( 図３参照) 。そして、袋体１００ａ〜１００ｄに重量物である砂を略均等に入れ、蓋１０１ａ〜１０１ｄで袋体１００ａ〜１００ｄの開口を閉塞する。その後、袋体１００ａ〜１００ｄを支柱Ｘに巻きつける。すると、袋体１００ａ〜１００ｄが９０°ピッチ間隔で配置される。そして、取付手段２００の他端部を係合部２１０に係合させる。これにより本体部１００が支柱Ｘに取り付けられる。
【００２０】
タープ支柱固定具を支柱Ｘから取り外す場合には、取付手段２００の係合を外し、そして袋体１００ａ〜１００ｄを支柱Ｘから取り外す。その後、袋体１００ａ〜１００ｄの内部の重量物を取り出す。そして、補強部材１２０ａ〜１２０ｄを取り出し、袋体１００ａ〜１００ｄを折り畳む。
【００２１】
このようにタープ支柱固定具は袋体１００ａ〜１００ｄ( 本体部１００) を折り畳むことができる。よって、従来例と比べて容易に持ち運ぶことができる。また、重量物はタープの設置場所にある砂であるので、従来例の如く重量物を持ち運ぶ必要がない。よって、更に持ち運びが容易になる。また、本体部１００は４つの袋体１００ａ〜１００ｄとしたことから、本体部１００の一部に重量物である砂が片寄り、支柱Ｘの固定が不安定になるというようなことを防止することができる。更に、袋体１００ａ〜１００ｄに補強部材１２０ａ〜１２０ｄを収納しているので、重量物を入れたとしても袋体１００ａ〜１００ｄの外形が変形することがない。この点でも、重量物が袋体１００ａ〜１００ｄの一方向に片寄る等により支柱Ｘの固定が不安定になるのを防止することができる。
【００２２】
このタープ支柱固定具は、内部に重量物を収納可能な本体部と、この本体部を支柱に取り付けるための取付手段とを具備しており、前記本体部は折り畳み可能な構成となっている限りどのような設計変形を行ってもかまわない。
【００２３】
即ち、本体部１００は内部に重量物が収納可能であり且つ折り畳み可能に構成されている限りどのようなものを用いてもかまわない。例えば、折り畳み可能なプラスチックのケース等であっても良い。また、本体部１００は４つの袋体を有するとしたが、１〜３乃至５以上の袋体を有するように設計変更することは当然可能である。なお、袋体１００ａ〜１００ｄの形状は任意であることは言う迄もない。
【００２４】
取付手段２００は本体部１００を支柱Ｘに取り付けることができるものであればどのようなものを用いてもかまわない。例えば、本体部１００に設けられた紐やベルクロテープなどであっても良い。なお、取付手段２００は本体部１００を支柱Ｘにしっかり取り付け得る限り、１又は複数設けるか否かは任意である。
【００２５】
補強部材１２０ａ〜１２０ｄを設けるか否かは任意である。補強部材１２０ａ〜１２０ｄの形状は袋体１００ａ〜１００ｄの形状に応じて設計変更可能である。即ち、重量物を収納した際に当該袋体１００ａ〜１００ｄの外形が変形しないようにし得る限りどのような形状及び素材を用いても良い。
【００２６】
なお、ここでは支柱Ｘは角柱のパイプであるとしたが、円柱等他の支柱を固定する固定具として使用可能であることは言う迄もない。重量物としては砂や水等のタープの設置場所で調達できるものが好ましいが、鉛や鉄等で構成した専用の重量物を用いることも当然可能である。
【図面の簡単な説明】
【００２７】
【図１】タープ支柱固定具の使用状態を示す概略的斜視図である。
【図２】展開した状態の同固定具の概略的平面図である。
【図３】同固定具の本体部の袋体を示す図であって、( ａ) は蓋を閉じた状態の袋体の概略的斜視図、( ｂ）は蓋を開いた状態の袋体の概略的分解斜視図である。
【符号の説明】
【００２８】
Ｘ                  支柱
１００              本体部
１００ａ〜１００ｄ  袋体
１２０ａ〜１２０ｄ  補強部材
２００              取付手段
【図１】
2005320782.tif 000003
【図２】
2005320782.tif 000004
【図３】
2005320782.tif 000005